(57)【要約】【課題】トランスポート・ストリームを、このデータレートよりも低いスループットをもつＩ／Ｏインターフェースを通して外部から読込んでリアルタイムで再生することができるトランスポート・ストリーム再生装置を提供する。【解決手段】  トランスポート・ストリーム再生装置は、内部ストレージ５と、外部ストレージ９と、内部ストレージ５に接続され、また入出力インターフェース７を介して外部ストレージ９に接続された制御回路１とを備える。制御回路１は、再生すべき指定されたトランスポート・ストリームが外部ストレージ９に格納されている場合に、内部ストレージ５に指定トランスポート・ストリームのコピーを作成して、該コピーから、リアルタイムでの再生を行う動作を有し、そのため、格納場所判定部１２と、スループット判定部１４と、データレート判定部１６とを備えている。【選択図】  図１
2006287870.tif 000002
【特許請求の範囲】
【請求項１】
トランスポート・ストリーム再生装置であって、
内部ストレージと、
外部ストレージと、
前記内部ストレージに接続され、また入出力インターフェースを介して前記外部ストレージに接続された制御回路であって、再生すべき指定されたトランスポート・ストリームが前記外部ストレージに格納されている場合に、前記内部ストレージに前記指定トランスポート・ストリームのコピーを作成して、該コピーから、リアルタイムでの再生を行う動作を有する、前記の制御回路と、
を備えたトランスポート・ストリーム再生装置。
【請求項２】
請求項１記載の装置において、
前記制御回路は、
前記指定トランスポート・ストリームが前記外部ストレージに格納されているか判定する格納場所判定手段と、
前記外部ストレージに格納されていると判定された場合に、前記入出力インターフェースのスループットを判定するスループット判定手段と、
前記指定トランスポート・ストリームのデータレートを判定する手段と、
前記スループットを前記指定トランスポート・ストリームの前記データレートと比較する比較手段と、
前記スループットが前記指定トランスポート・ストリームの前記データレートよりも低い場合、前記指定トランスポート・ストリームを前記外部ストレージから前記内部ストレージへコピーし、該コピーした前記指定トランスポート・ストリームを前記内部ストレージから再生する手段と、
を備えたトランスポート・ストリーム再生装置。
【請求項３】
請求項２記載の装置において、
前記制御回路は、さらに、
前記内部ストレージの空き容量を判定する空き容量判定手段と、
前記内部ストレージの空き容量が前記指定トランスポート・ストリームを格納するのに十分な場合のみ、前記指定トランスポート・ストリームのコピーを前記外部ストレージから前記内部ストレージに作成するコピー作成手段と、
を備えたこと、を特徴とするトランスポート・ストリーム再生装置。
【請求項４】
請求項２記載の装置において、
前記制御回路は、さらに、
前記指定トランスポート・ストリームが前記内部ストレージに格納されている場合に、前記内部ストレージから直接、リアルタイムでの再生を行う動作を有すること、
を特徴とするトランスポート・ストリーム再生装置。
【請求項５】
請求項４記載の装置において、
前記制御回路は、
前記格納場所判定手段により、前記指定トランスポート・ストリームが前記内部ストレージに格納されていると判定された場合、前記内部ストレージから前記指定トランスポート・ストリームを再生する手段、
を備えたこと、を特徴とするトランスポート・ストリーム再生装置。
【請求項６】
請求項２記載の装置において、
前記スループット判定手段は、
前記指定トランスポート・ストリームの一部分を前記外部ストレージから読出す手段と、
前記一部分の読出しに要した時間を計測するタイマ手段と、
該計測した時間と前記一部分のデータ量とから前記スループットを演算する手段と、
を備えたこと、を特徴とするトランスポート・ストリーム再生装置。
【請求項７】
請求項１から６のいずれかに記載のトランスポート・ストリーム再生装置を備えたデジタル放送用変調器。
【発明の詳細な説明】
【技術分野】
【０００１】
本発明は、トランスポート・ストリームの再生装置、特に低いスループットをもつＩ／Ｏインターフェースを介してトランスポート・ストリームを再生するための装置に関する。
【背景技術】
【０００２】
ＭＰＥＧ−２ＴＳ（ＭＰＥＧ−２トランスポート・ストリーム）（以下、単にＴＳまたはトランスポート・ストリームとも記す）のストリーマ機能が一体化された既存のデジタル放送用変調器は、ストレージ増設用にインターフェースとして高速データ転送が可能なＵｌｔｒａＷｉｄｅ ＳＣＳＩが実装されている（非特許文献１）。しかし、外部ストレージ増設用に専用の高速のＩ／Ｏインターフェースを実装できないデジタル放送用変調器の場合、増設ストレージに高データレートのＴＳ（トランスポート・ストリーム）を記録し、そのデータをリアルタイムに符号化しようとすると、インターフェースの種類やトラフィックの状況(例えば、ＬＡＮ（ローカルエリアネットワーク）に接続された外部ストレージで、複数のパーソナル・コンピュータ（ＰＣ）が同一ネットワーク上に接続され各々が大量のデータ転送を行った場合に、トラフィックが多くなり転送レートが極端に遅くなるような状況)によって、“スループット＜ データレート”が発生し、正しく符号化できない。
【０００３】
一方、従来のデジタル放送受信機においては、この受信機から外部のデジタル機器例えばパーソナル・コンピュータにデータ転送を行う際、転送するデータのデータレートがデジタル機器の通信ポートが許容する通信データレートがより大きいとき、転送するデータのデータレートを通信データレート以下にして転送する技術が開示されている（特許文献１）。この技術では、データのデータレートが通信データレートよりも大きい場合、通信データレートに相当する周波数以下のクロックを発生し、このクロックの下でデータをデジタル放送機器から外部デジタル機器に出力するように構成されている。
【非特許文献１】日本テクトロニクス株式会社、“ＩＳＤＢ−ＴＲＦゼネレータＲＴＸ−１００型”のカタログ（２００４年１１月付け）、「online」、「平成１７年２月１８日検索」、インターネット＜URL:http://www.tektronix.co.jp/cgi-bin/teksearch.cgi?query=ISDB-T&search.x=2&search.y=11＞
【特許文献１】特開２００１−２３７８１２号公報
【発明の開示】
【発明が解決しようとする課題】
【０００４】
上記のように、外部ストレージ増設用に高速のＩ／Ｏインターフェースを実装できないデジタル放送用変調器の場合、例えば低速の入出力インターフェースがＵＳＢ１．１しか実装されていない場合、増設ストレージに高データレートのＭＰＥＧ−２ＴＳ（トランスポート・ストリーム）を記録し、そのデータをリアルタイムに符号化しようとすると、Ｉ／Ｏインターフェースのスループットがトランスポート・ストリームのデータレートよりも小さいため、トランスポート・ストリームを正しく符号化することができない。しかし、ユーザ、例えばデジタル放送機器の製造メーカによっては、製造するデジタル放送受信機器のテストのための独自のコンテンツを使用する場合がある。このような場合、この独自のテスト用コンテンツが変調器内蔵のハードディスク（ＨＤ）の容量を超えるときには、外部のストレージを使用することが必要となる。しかし、デジタル放送用変調器にそのテスト用コンテンツのデータレートよりも低速の入出力インターフェースしか設けられていない場合、テスト用コンテンツのリアルタイムでの再生並びにその後のリアルタイムでの符号化を行うことができない。これと同様の問題は、インターフェースのトラフィックが非常に混雑した場合にも存在する。
【０００５】
したがって、本発明の目的は、トランスポート・ストリームを、このデータレートよりも低いスループットをもつＩ／Ｏインターフェースを通して外部から読込んでリアルタイムで再生することができるトランスポート・ストリーム再生装置を提供することである。
【０００６】
本発明の別の目的は、上記のトランスポート・ストリーム再生装置を備えたデジタル放送用変調器を提供することである。
【課題を解決するための手段】
【０００７】
本発明に１形態によるトランスポート・ストリーム再生装置は、内部ストレージと、外部ストレージと、前記内部ストレージに接続され、また入出力インターフェースを介して前記外部ストレージに接続された制御回路であって、再生すべき指定されたトランスポート・ストリームが前記外部ストレージに格納されている場合に、前記内部ストレージに前記指定トランスポート・ストリームのコピーを作成して、該コピーから、リアルタイムでの再生を行う動作を有する、前記の制御回路と、を備える。
【０００８】
本発明に１形態によれば、前記制御回路は、前記指定トランスポート・ストリームが前記外部ストレージに格納されているか判定する格納場所判定手段と、前記外部ストレージに格納されていると判定された場合に、前記入出力インターフェースのスループットを判定するスループット判定手段と、前記指定トランスポート・ストリームのデータレートを判定する手段と、前記スループットを前記指定トランスポート・ストリームの前記データレートと比較する比較手段と、前記スループットが前記指定トランスポート・ストリームの前記データレートよりも低い場合、前記指定トランスポート・ストリームを前記外部ストレージから前記内部ストレージへコピーし、該コピーした前記指定トランスポート・ストリームを前記内部ストレージから再生する手段と、を備えることができる。
【０００９】
また、本発明の１形態によれば、前記制御回路は、さらに、前記内部ストレージの空き容量を判定する空き容量判定手段と、前記内部ストレージの空き容量が前記指定トランスポート・ストリームを格納するのに十分な場合のみ、前記指定トランスポート・ストリームのコピーを前記外部ストレージから前記内部ストレージに作成するコピー作成手段と、を備えることができる。
【００１０】
また、本発明の１形態によれば、前記制御回路は、さらに、前記指定トランスポート・ストリームが前記内部ストレージに格納されている場合に、前記内部ストレージから直接、リアルタイムでの再生を行う動作を有することができる。さらに、前記制御回路は、前記格納場所判定手段により、前記指定トランスポート・ストリームが前記内部ストレージに格納されていると判定された場合、前記内部ストレージから前記指定トランスポート・ストリームを再生する手段、を備えたことができる。
【００１１】
また、本発明の１形態によれば、前記スループット判定手段は、前記指定トランスポート・ストリームの一部分を前記外部ストレージから読出す手段と、前記一部分の読出しに要した時間を計測するタイマ手段と、該計測した時間と前記一部分のデータ量とから前記スループットを演算する手段と、を備えることができる。
【発明の効果】
【００１２】
本発明によれば、外部ストレージを接続したＩ／Ｏインターフェースが、外部ストレージに格納されたトランスポート・ストリームのデータレートよりも低いスループットのものであっても、外部ストレージに格納されたそのトランスポート・ストリームをリアルタイムで再生することができる。また、本発明によれば、トランスポート・ストリームが内部ストレージにあるいは外部ストレージのいずれに格納されていようとも、トランスポート・ストリームを自動的にリアルタイムで再生することができる。
【発明を実施するための最良の形態】
【００１３】
次に、本発明の実施形態について、図面を参照して詳細に説明する。
図１は、本発明の１実施形態のＭＰＥＧ−２ＴＳ（トランスポート・ストリーム）の再生装置を示すブロック図である。尚、本明細書において、上記したように、ＭＰＥＧ−２ＴＳ（ＭＰＥＧ−２トランスポート・ストリーム）は、単に、ＴＳまたはトランスポート・ストリームとも記す。図示のように、ＴＳ再生装置は、制御回路１と、内部ストレージ５と、Ｉ／Ｏインターフェース７とを備えている。Ｉ／Ｏインターフェース７は、外部ストレージ９の増設のためのものである。この再生装置では、制御回路１は、内部データ転送経路を介して内部ストレージ５と接続され、そしてＩ／Ｏインターフェース７を介して増設される外部ストレージ９に接続され、これによって、内部ストレージ５あるいは外部ストレージ９に格納されたトランスポート・ストリームを再生することができる。
【００１４】
ここで、内部ストレージ５を制御回路１に接続する内部データ転送経路は、例えば、高速のデータ転送を可能にするバスであって、内部ストレージ５に格納されたトランスポート・ストリームのリアルタイムでの再生を可能にすることができるものである。一方、Ｉ／Ｏインターフェース７は、内部データ転送経路よりも低いスループットの経路であって、例えば、ＵＳＢ１．１インターフェースであり、そのデータ転送速度は１２Ｍｂｐｓである。デジタル放送用変調器がリアルタイムに符号化できるＭＰＥＧ−２ＴＳの入力データレート範囲は、３．６５１Ｍｂｐｓ〜２３．２３４Ｍｂｐｓと定められているため、ＵＳＢ１．１インターフェースは、１２Ｍｂｐｓを超える高データレートのＭＰＥＧ−２ＴＳが外部ストレージ９に記録されている場合、そのデータのリアルタイムでの符号化に十分な速度でデータを転送することができない。
【００１５】
この問題に対処するため、制御回路１は、図示のように、再生部１０と、格納場所判定部１２と、スループット判定部１４と、データレート判定部１６とを備え、これによりストレージに格納されたトランスポート・ストリームのリアルタイムでの再生を実行できるようにする。詳細には、格納場所判定部１２は、再生しようとするＴＳ（トランスポート・ストリーム）を指定する入力を受ける。この指定入力は、例えばユーザによりこの再生装置の外部から供給される。格納場所判定部１２は、この指定入力を受けると、この指定されたＴＳが内部ストレージ５あるいは外部ストレージ９のいずれに格納されているのか判定する。この判定によって、内部ストレージ５に格納されていると判断すると、再生部１０は、内部ストレージ５にアクセスしてその指定ＴＳを読出し、そしてこの読出したＴＳを前記データレート判定部で算出したデータレートで出力すなわち再生する。
【００１６】
一方、格納場所判定部１２で指定ＴＳが外部ストレージ９に格納されていると判断された場合、この指定ＴＳを外部ストレージ９から直接読出してリアルタイム再生できるか否かの判定を行う。すなわち、スループット判定部１４は、外部ストレージ９からＩ／Ｏインターフェース７を介するデータ転送経路のデータ転送速度、すなわちスループットを判定し、またデータレート判定部１６は、上記指定ＴＳのデータレートを判定する。こうして判定したスループットとデータレートとを受ける再生部１０は、スループットがデータレート以上の場合、指定ＴＳをリアルタイムで再生できることを意味するため、外部ストレージ９から指定ＴＳを直接読出してリアルタイムで再生する。一方、スループットがデータレートより低い場合、リアルタイムでの再生ができないことを意味するため、再生部１０は、指定ＴＳを外部ストレージ９から読出して内部ストレージ５に書き込むことにより、指定ＴＳのコピーを内部ストレージ５に作成する。その後、再生部１０は、指定ＴＳのコピーを内部ストレージ５から読出してリアルタイムで再生して出力する。
【００１７】
このように、図１のトランスポート・ストリーム再生装置では、指定ＴＳがリアルタイム再生できるストレージに格納されている場合にはそのストレージから直接読出して再生する一方で、指定ＴＳがリアルタイム再生できないストレージに格納されている場合には、その指定ＴＳをリアルタイム再生できるストレージに移し替えると共にこの移し替えたストレージから指定ＴＳを読出してリアルタイム再生する。これにより、ＴＳがどのようなストレージに格納されていても、自動的にリアルタイム再生できる。
【００１８】
次に、図２を参照して、図１のトランスポート・ストリーム再現装置を組み込んだデジタル放送用変調器の１実施形態について説明する。図示のように、デジタル放送用変調器２０は、例えばＣＰＵで構成したシステムコントロール部２００を備え、このシステムコントロール部２００には、バス２０５を介して接続されるハードディスク等の内部ストレージ２０６と、外部ストレージ７０を接続可能なＩ／Ｏインターフェース５０とが接続されている。また、システムコントロール部２００には、変調器２０への各種入力のための操作パネル２０２と、各種の表示をするための表示部２０４が接続されている。
【００１９】
さらに、このデジタル放送用変調器２０においては、システムコントロール部２００の１つの出力は、バス２０７を介してＴＳ入力処理部２０８の１つの入力に接続され、これにより、ＴＳ入力処理部２０８は、内部ストレージ２０６または外部ストレージ７０に格納されたＴＳを受けることができる。また、ＴＳ入力処理部２０８の別の入力は、外部ＴＳ入力端子３０に接続され、これにより、内部および外部ストレージ以外のソースからのＴＳを受けることができる。ＴＳ入力処理部２０８は、それらいくつかのソースからのＭＰＥＧ−２  ＴＳ（トランスポート・ストリーム）のうち、システムコントロール部２００を介して指定されたＴＳのみを出力に供給する。このＴＳをバス２０９を介して受ける入力をもつ符号化処理部２１０は、所要の符号化処理を行って次段の変調処理部２１２に供給する。変調処理部２１２は、符号化されたＴＳに対し、変調を行って、変調後の信号をＤ／Ａ変換部２１６の１つの入力に供給する。Ｄ／Ａ変換部２１６は、他方の入力にＣ／Ｎ発生部２１４からの出力を受けるが、このＣ／Ｎ発生部２１４は、放送信号に対しある指定のＣ／Ｎ比をもたせるためのノイズを、種々の既知の方法により発生することができる。この発生したノイズは、Ｄ／Ａ変換部２１６において、変調処理部２１２からの変調信号に対し付加し、そしてその結果の信号をデジタル形態からアナログ形態に変換して出力する。このアナログ出力は、次の周波数コンバート部２１８により、送信のための周波数コンバートが行われる。
【００２０】
以上に説明した構成をもつデジタル放送用変調器２０におけるデータ転送速度について説明すると、Ｉ／Ｏインターフェース５０は、使用するインターフェースの種類によってデータ転送速度が決まり、前述のように、ＵＳＢ１．１インターフェースでは１２Ｍｂｐｓのデータレートである。これに対し、システムコントロール部２００と内部ストレージ２０６との間を接続するバス２０５では、そのデータ転送速度は１００Ｍｂｐｓと非常に高速である。一方、システムコントロール部２００とＴＳ入力処理部２０８の間を接続するバス２０７では、ＴＳ自体について規定されたデータレートでデータ転送が行われる。例えば、ＴＳのデータレートが２０Ｍｂｐｓとして規定されている場合、バス２０７でのデータ転送は、そのデータレートで行われる。また、ＴＳ入力処理部２０８と符号化処理部２１０との間を接続するバス２０９では、前述のように、デジタル放送用変調器がリアルタイムに符号化できるＴＳの入力データレート範囲は３．６５１Ｍｂｐｓ〜２３．２３４Ｍｂｐｓであるため、この範囲内の一定のデータレートでデータ転送が行われる。これから分かるように、再生すべきＴＳのデータレートが２０Ｍｂｐｓで、しかもＩ／Ｏインターフェース５０のスループットが１２Ｍｂｐｓである場合、外部ストレージ７０からのＴＳをリアルタイムで正しく符号化および再生することができない。
【００２１】
本発明のこの実施形態においては、内部ストレージ２０６に格納されたプログラムをシステムコントロール部２００によって実行することにより対処する。以下、このプログラムのフローについて、図３〜図７を参照して詳細に説明する。
【００２２】
図３は、ＴＳ（トランスポート・ストリーム）の再生フローを示している。先ず、ステップ３００において、指定されたＴＳの格納場所を解析し、そして次にステップ３０２で、格納場所が内部ストレージ２０６あるいは外部ストレージ７０のいずれか判定する。格納場所が内部ストレージ２０６の場合、ＴＳのリアルタイム再生が可能であるため、ステップ３１４に進み、ここで、内部ストレージ２０６にアクセスして指定ＴＳを読出してシステムコントロール部２００に供給し、そしてシステムコントロール部２００は、これをリアルタイムで再生してバス２０７に出力する。この再生されたＴＳは、上述のようにＴＳ入力処理部２０８を通して供給され、そして符号化処理部２１０による符号化、変調処理部２１２による変調、Ｄ／Ａ変換部２１６によるＣ／Ｎ比付加およびＤ／Ａ変換等、周波数コンバート部２１８による周波数コンバートが行われる。
【００２３】
他方、ステップ３０２で、外部ストレージ７０に格納されていると判断した場合、ＴＳのリアルタイム再生が可能かどうか確かめるため、ステップ３０４〜３１２を実行する。最初のステップ３０４では、データ転送経路のスループット値を取得する。次に、ステップ３０６で、指定ＴＳのデータレートを解析する。このデータレートの解析は、ＴＳのパケット・ヘッダ内のデータレート情報をチェックすることにより実行する。図４には、ＴＳのフォーマットを示しており、ＴＳは、連続したＴＳパケットで構成されている。各ＴＳパケットは、パケット・ヘッダと、アダプテーション・フィールドまたはペイロードから構成されている。パケット・ヘッダには、種々の情報が含まれており、特に本発明に関係するものとしては、データレート情報と、トランスポート・ストリーム全体のサイズ情報とがある。
【００２４】
次に、ステップ３０８で、解析して得たデータレートをスループット値と比較する。このステップ３０８で、スループット値がデータレートより大きい場合、指定ＴＳのリアルタイム再生が可能であること示しており、したがって、ステップ３１４に進んで、内部ストレージ２０６ではなく外部ストレージ７０からであるが、上述したのと同じようにして指定ＴＳの再生を実行する。
【００２５】
一方、ステップ３０８で、スループットがデータレート未満であるとき、外部ストレージからの直接のリアルタイム再生が不可能であることを示しているため、ステップ３１０に進む。このステップ３１０では、内部ストレージ２０６の空き容量と指定ＴＳのサイズを比較し、そして空き容量が指定ＴＳのサイズ以上の場合、コピー可能であるため、ステップ３１２に進む。ステップ３１２では、指定ＴＳを外部ストレージ７０から内部ストレージ２０６にコピーし、そして次にステップ３１４で、内部ストレージ２０６内の指定ＴＳのコピーにアクセスして読出し、そしてリアルタイム再生する。これにより、スループットとデータレートの違いによるＴＳの不正確な再生を防ぐことができる。一方、ステップ３１０で、空き容量が指定ＴＳのサイズ未満の場合、コピーが不可能であるため、この再生フローから出る。尚、必要な場合には、ユーザに対し、指定ＴＳの再生が不可能であることを示す指示を２０４に表示することもできる。
【００２６】
次に、図５を参照して、図３のステップ３００で実行する格納場所判定フローの詳細について説明する。図示のように、このフローはステップ５００で開始し、このステップで、指定ＴＳの格納場所文字列情報から格納場所を判定する。格納場所文字列情報としては、例えば、指定ＴＳファイルのフォルダパスであり、この場合指定ＴＳを構成する文字列情報は含まない。次に、ステップ５０２で、格納場所が外部ストレージ７０を示す場合、例えば、外部ストレージを示す文字列を含むと判定した場合、ステップ５０４で、格納場所が外部ストレージであると判定する一方、外部ストレージでない場合、ステップ５０６で、格納場所が内部ストレージであると判定する。
【００２７】
次に、図６を参照して、図３のステップ３０４で実行するスループット判定フローの詳細について説明する。先ず、ステップ６００で、外部ストレージ７０に格納された指定ＴＳにアクセスして、その指定ＴＳの先頭から一部分、例えば数Ｍバイト部分を内部ストレージ２０６へコピーする処理を開始し、そしてステップ６０２で、コピー経過時間測定用のタイマをスタートさせる。次のステップ６０４でコピーが完了するまで待機し、そしてコピーが完了したと判断したとき、ステップ６０６でコピー経過時間測定タイマをストップさせる。次のステップ６０８では、タイマにより計測したデータ転送時間で転送データ量を除算することによりスループット値を算出する。
【００２８】
次に、図７を参照して、図３のステップ３０６で実行するデータレート判定のフローを詳細に示す。先ず、ステップ７００で、指定ＴＳの先頭からＰＣＲ（プログラム時刻基準参照値）が挿入されているＴＳパケットを検索して、そしてインデックス情報(パケット番号を示す)をＩ１、ＰＣＲ値(相対時間情報を示す)をＶ１とする。次に、ステップ７０２で、上記で発見したＴＳパケットから続けて、ＰＣＲが挿入されているＴＳパケットを検索し、そして上記と同じデータを取得してＩ２およびＶ２とする。次に、ステップ７０４で、指定ＴＳのデータレートを、以下の式で算出する。
［数１］
データレート＝ ｛（Ｉ２ − Ｉ１）＊２７００００００｝／ （Ｖ２−Ｖ１）
この式は、再生部１０から指定されたＴＳデータを出力する速度を表している。
【００２９】
以上に詳細に説明したように、本発明の１実施形態のデジタル放送用変調器２０においては、ＴＳ（トランスポート・ストリーム）が外部ストレージに格納されている場合であっても、ある一定の条件が満たされれば、自動的に、ＴＳをリアルタイムで再生することができる。
【図面の簡単な説明】
【００３０】
【図１】図１は、本発明の１実施形態のＭＰＥＧ−２  ＴＳ（ＭＰＥＧ−２トランスポート・ストリーム）再生装置を示すブロック図。
【図２】図２は、図１のトランスポート・ストリーム再現装置を組み込んだデジタル放送用変調器の１実施形態を示すブロック図。
【図３】図３は、ＴＳ（トランスポート・ストリーム）の再生フローを示すフローチャート。
【図４】図４は、ＴＳ（トランスポート・ストリーム）のフォーマットを示す図。
【図５】図５は、図３のステップ３００で実行する格納場所判定フローの詳細を示すフローチャート。
【図６】図６は、図３のステップ３０４で実行するスループット判定フローの詳細を示すフローチャート。
【図７】図７は、図３のステップ３０６で実行するデータレート判定フローの詳細に示すフローチャート。
【符号の説明】
【００３１】
１  制御回路
５  内部ストレージ
７  Ｉ／Ｏインターフェース
９  外部ストレージ
１０  再生部
１２  格納場所判定部
１４  スループット判定部
１６  データレート判定部
【図１】
2006287870.tif 000003
【図２】
2006287870.tif 000004
【図３】
2006287870.tif 000005
【図４】
2006287870.tif 000006
【図５】
2006287870.tif 000007
【図６】
2006287870.tif 000008
【図７】
2006287870.tif 000009